【手続補正書】
【提出日】平成22年3月12日(2010.3.12)
【手続補正１】
【補正対象書類名】特許請求の範囲
【補正対象項目名】全文
【補正方法】変更
【補正の内容】
【特許請求の範囲】
【請求項１】
記録媒体に色剤を付与する記録素子が所定の方向に複数配列して構成される記録素子列を、前記所定の方向と交差する方向に往復移動走査することにより画像を形成する記録装置において、
前記往復移動走査における往路走査の記録位置と復路走査の記録位置とのずれ量を取得する手段と、
前記往復移動走査における色剤を付与するタイミングを、前記ずれ量を低減する方向に調整するための前記記録素子列について１つの第１調整値を設定する手段と、
前記所定の方向に対する前記記録素子列の傾き情報を取得する手段と、
前記傾き情報に応じて前記第１調整値に補正をかけて前記記録素子列について１つの第２調整値を取得する手段と、
前記第２調整値に基づいて、前記往復移動走査における前記記録素子列が色剤を付与するタイミングを調整して画像を形成する手段と、
を具備することを特徴とする記録装置。
【請求項２】
前記傾き情報とは前記所定の方向に対する前記記録素子列の傾き方向であり、前記第２調整値取得手段は、前記傾き方向に応じて前記第１調整値に対する補正量の正負を異ならせて前記第２調整値を取得していることを特徴とする請求項１に記載の記録装置。
【請求項３】
前記傾き情報とは前記所定の方向に対する前記記録素子列の傾き量であり、前記第２調整値取得手段は、前記傾き量に応じて前記第１調整値に対する補正量を異ならせて前記第２調整値を取得していることを特徴とする請求項１に記載の記録装置。  
【請求項４】
記録媒体に色剤を付与する記録素子が所定の方向に複数配列して構成される記録素子列を、前記所定の方向と交差する方向に往復移動走査することにより画像を形成する記録装置において、
前記往復移動走査における往路走査の記録位置と復路走査の記録位置とのずれ量を取得する手段と、
前記往復移動走査における色剤を付与するタイミングを、前記ずれ量を低減する方向に調整するための前記記録素子列について１つの第１調整値を設定する手段と、
前記所定の方向に対する前記記録素子列の傾き量を取得する手段と、
前記往復移動走査における色剤を付与するタイミングを、前記傾き量を低減する方向に調整するための傾き調整値を、前記記録素子列に含まれる複数の記録素子それぞれについて設定する手段と、
前記傾き量に応じて前記第１調整値に補正をかけて前記記録素子列について１つの第２調整値を取得する手段と、
前記傾き調整値と前記第２調整値に基づいて、前記往復移動走査時における色剤を付与するタイミングを前記記録素子列に含まれる前記複数の記録素子の夫々について調整して画像を形成する手段と、
を具備することを特徴とする記録装置。
【請求項５】
記録媒体に色剤を付与する記録素子が所定の方向に複数配列して構成される記録素子列を、前記所定の方向と交差する方向に往復移動走査することにより画像を形成する記録装置の記録位置制御方法おいて、
前記往復移動走査における往路走査の記録位置と復路走査の記録位置とのずれ量を取得する工程と、
前記往復移動走査における色剤を付与するタイミングを、前記ずれ量を低減する方向に調整するための前記記録素子列について１つの第１調整値を設定する工程と、
前記所定の方向に対する前記記録素子列の傾き情報を取得する工程と、
前記傾き情報に応じて前記第１調整値に補正をかけて前記記録素子列について１つの第２調整値を取得する工程と、
前記第２調整値に基づいて、前記往復移動走査における前記記録素子列が色剤を付与するタイミングを調整して画像を形成する工程と、
を有することを特徴とする記録位置制御方法。
【請求項６】
記録媒体に色剤を付与する記録素子が所定の方向に複数配列して構成される記録素子列を、前記所定の方向と交差する方向に往復移動走査することにより画像を形成する記録装置の記録位置制御方法において、
前記往復移動走査における往路走査の記録位置と復路走査の記録位置とのずれ量を取得する工程と、
前記往復移動走査における色剤を付与するタイミングを、前記ずれ量を低減する方向に調整するための第１調整値を前記記録素子列について１つ設定する工程と、
前記所定の方向に対する前記記録素子列の傾き量を取得する工程と、
前記往復移動走査時における色剤を付与するタイミングを、前記傾き量を低減する方向に調整するための傾き調整値を、前記記録素子列に含まれる記録素子それぞれについて設定する工程と、
前記傾き量に応じて前記第１調整値に補正をかけて前記記録素子列について１つの第２調整値を取得する工程と、
前記傾き調整値と前記第２調整値に基づいて、前記往復移動走査における色剤を付与するタイミングを、前記記録素子列に含まれる前記複数の記録素子の夫々について調整して画像を形成する工程と
を有することを特徴とする記録位置制御方法。
【手続補正２】
【補正対象書類名】明細書
【補正対象項目名】００２８
【補正方法】変更
【補正の内容】
【００２８】
そのために本発明においては、記録媒体に色剤を付与する記録素子が所定の方向に複数配列して構成される記録素子列を、前記所定の方向と交差する方向に往復移動走査することにより画像を形成する記録装置において、前記往復移動走査における往路走査の記録位置と復路走査の記録位置とのずれ量を取得する手段と、前記往復移動走査における色剤を付与するタイミングを、前記ずれ量を低減する方向に調整するための前記記録素子列について１つの第１調整値を設定する手段と、前記所定の方向に対する前記記録素子列の傾き情報を取得する手段と、前記傾き情報に応じて前記第１調整値に補正をかけて前記記録素子列について１つの第２調整値を取得する手段と、前記第２調整値に基づいて、前記往復移動走査における前記記録素子列が色剤を付与するタイミングを調整して画像を形成する手段と、を具備することを特徴とする。
【手続補正３】
【補正対象書類名】明細書
【補正対象項目名】００２９
【補正方法】変更
【補正の内容】
【００２９】
また、記録媒体に色剤を付与する記録素子が所定の方向に複数配列して構成される記録素子列を、前記所定の方向と交差する方向に往復移動走査することにより画像を形成する記録装置において、前記往復移動走査における往路走査の記録位置と復路走査の記録位置とのずれ量を取得する手段と、前記往復移動走査における色剤を付与するタイミングを、前記ずれ量を低減する方向に調整するための前記記録素子列について１つの第１調整値を設定する手段と、前記所定の方向に対する前記記録素子列の傾き量を取得する手段と、前記往復移動走査における色剤を付与するタイミングを、前記傾き量を低減する方向に調整するための傾き調整値を、前記記録素子列に含まれる複数の記録素子それぞれについて設定する手段と、前記傾き量に応じて前記第１調整値に補正をかけて前記記録素子列について１つの第２調整値を取得する手段と、前記傾き調整値と前記第２調整値に基づいて、前記往復移動走査時における色剤を付与するタイミングを前記記録素子列に含まれる前記複数の記録素子の夫々について調整して画像を形成する手段と、を具備することを特徴とする。
【手続補正４】
【補正対象書類名】明細書
【補正対象項目名】００３０
【補正方法】変更
【補正の内容】
【００３０】
更に、記録媒体に色剤を付与する記録素子が所定の方向に複数配列して構成される記録素子列を、前記所定の方向と交差する方向に往復移動走査することにより画像を形成する記録装置の記録位置制御方法おいて、前記往復移動走査における往路走査の記録位置と復路走査の記録位置とのずれ量を取得する工程と、前記往復移動走査における色剤を付与するタイミングを、前記ずれ量を低減する方向に調整するための前記記録素子列について１つの第１調整値を設定する工程と、前記所定の方向に対する前記記録素子列の傾き情報を取得する工程と、前記傾き情報に応じて前記第１調整値に補正をかけて前記記録素子列について１つの第２調整値を取得する工程と、前記第２調整値に基づいて、前記往復移動走査における前記記録素子列が色剤を付与するタイミングを調整して画像を形成する工程と、を有することを特徴とする。
【手続補正５】
【補正対象書類名】明細書
【補正対象項目名】００３１
【補正方法】変更
【補正の内容】
【００３１】
更にまた、記録媒体に色剤を付与する記録素子が所定の方向に複数配列して構成される記録素子列を、前記所定の方向と交差する方向に往復移動走査することにより画像を形成する記録装置の記録位置制御方法において、前記往復移動走査における往路走査の記録位置と復路走査の記録位置とのずれ量を取得する工程と、前記往復移動走査における色剤を付与するタイミングを、前記ずれ量を低減する方向に調整するための第１調整値を前記記録素子列について１つ設定する工程と、前記所定の方向に対する前記記録素子列の傾き量を取得する工程と、前記往復移動走査時における色剤を付与するタイミングを、前記傾き量を低減する方向に調整するための傾き調整値を、前記記録素子列に含まれる記録素子それぞれについて設定する工程と、前記傾き量に応じて前記第１調整値に補正をかけて前記記録素子列について１つの第２調整値を取得する工程と、前記傾き調整値と前記第２調整値に基づいて、前記往復移動走査における色剤を付与するタイミングを、前記記録素子列に含まれる前記複数の記録素子の夫々について調整して画像を形成する工程とを有することを特徴とする。